(57)【要約】【課題】  床面清掃機の床ノズル体を取り外して電気掃除機の床ノズル体としても使用することができると共に、床面清掃機に設置した場合において部屋の壁際等の隙間を清掃することができる床ノズル体を提供する。【解決手段】  床面清掃機１０又は、電気掃除機の双方に接続可能な床ノズル体５であって、床ノズル体５は、中間接続管４、ホースユニット、延長管のいずれかに接続可能な接続用パイプ６と、床面清掃機１０に連結させる連結部８と、連結部８を固定可能な接続手段２１とを有する。【選択図】図３
2014193196.tif 000002
【特許請求の範囲】
【請求項１】
送風機と集塵袋あるいは塵埃捕集用フィルターを内蔵し、下方に走行車輪を有する本体と、前記送風機と連通する中間接続管とを有する床面清掃機、
又は、
内部に電動送風機が内蔵され、該電動送風機の上流側に集塵室が設けられた電気掃除機本体と、該電気掃除機本体に接続されるホースユニットと、該ホースユニットに接続される延長管を有する電気掃除機、
の双方に接続可能な床ノズル体であって、
該床ノズル体は、前記中間接続管、前記ホースユニット、前記延長管のいずれかに接続可能な接続用パイプと、床面清掃機に連結させる連結部と、該連結部を固定可能な接続手段とを有することを特徴とする床ノズル体。
【請求項２】
前記接続手段として、床ノズル体の前記接続用パイプの両側に固定部を設け、前記連結部の一方の端部は床面清掃機本体に固定されると共に他方の端部は略Ｕ字状に形成し、該略Ｕ字状の中央空間部に前記接続用パイプを収納するようＵ字状部を前記固定部に取り付けたことを特徴とする請求項１に記載の床ノズル体。
【請求項３】
回転ブラシと、回転自在に支持された車輪と、該車輪の回転に伴って前記回転ブラシを正逆回転させる伝達機構とを備えることを特徴とする請求項１又は２に記載の床ノズル体。
【発明の詳細な説明】
【技術分野】
【０００１】
本発明は、床面清掃機及び電気掃除機の双方に接続することができる床ノズル体に関するものである。
【背景技術】
【０００２】
従来から、床面清掃機として、送風機と集塵袋あるいは塵埃捕集用フィルターを内蔵し、下方に走行車輪を有する本体と、送風機と連通する中間接続管と、本体と床ノズル体とを連結する連結部を有するものが知られている（特許文献１及び特許文献２）。
【０００３】
また、電気掃除機として、内部に電動送風機が内蔵され、該電動送風機の上流側に集塵室が設けられた電気掃除機本体と、該電気掃除機本体に接続されるホースユニットと、該ホースユニットに接続される延長管を有するものが知られている（特許文献３）
【先行技術文献】
【特許文献】
【０００４】
【特許文献１】特許第２６９６１７１号公報
【特許文献２】実開平６−８１４４４号公報
【特許文献３】特開２００６−２０４３５０号公報
【発明の概要】
【発明が解決しようとする課題】
【０００５】
上記特許文献１及び特許文献２に開示されている床面清掃機は、床面清掃機本体の前方に連結具を介して床面清掃用ブラシが取り付けられており、床面清掃用ブラシに接続される接続用パイプが、床面清掃用ブラシに直立した形で接続されている為、部屋の壁際等に設置されているサイドボードや本箱等の隙間に床面清掃用ブラシが入らず、清掃できないという課題を有していた。
【０００６】
また、上記特許文献３に開示されている電気掃除機は、上記特許文献１及び特許文献２の床面清掃機が有する課題を解決しているものではあるが、上記特許文献３に開示されている電気掃除機用の床ノズル体を取り外して、上記特許文献１及び特許文献２に開示されている床面清掃機用の床ノズル体に使用することはできないという課題を有していた。
【０００７】
本発明は、上記のような課題を解決する為になされたもので、床面清掃機の床ノズル体を取り外して電気掃除機の床ノズル体としても使用することができると共に、床面清掃機に設置した場合において部屋の壁際等の隙間を清掃することができる床ノズル体を提供することを目的としている。
【課題を解決するための手段】
【０００８】
上記従来の課題を解決する為に、請求項１の床ノズル体の発明は、送風機と集塵袋あるいは塵埃捕集用フィルターを内蔵し、下方に走行車輪を有する本体と、前記送風機と連通する中間接続管とを有する床面清掃機、又は、内部に電動送風機が内蔵され、該電動送風機の上流側に集塵室が設けられた電気掃除機本体と、該電気掃除機本体に接続されるホースユニットと、該ホースユニットに接続される延長管を有する電気掃除機、の双方に接続可能な床ノズル体であって、該床ノズル体は、前記中間接続管、前記ホースユニット、前記延長管のいずれかに接続可能な接続用パイプと、床面清掃機に連結させる連結部と、該連結部を固定可能な接続手段とを有することを特徴としている。
【０００９】
床面清掃機は、床面清掃機本体を操作して移動させ、清掃を行うものであることから、床ノズル体と床面清掃機本体との距離を常に一定に保つ必要がある。したがって、床ノズル体が床面清掃機に連結させる連結部と、該連結部を固定可能な接続手段とを有していることによって、床ノズル体と床面清掃機本体との距離を常に一定に保つことができる。
【００１０】
また、床ノズル体を床面清掃機本体から取り外して電気掃除機に取り付けることが可能であり、製造コストの低減を図ることができる。また、床ノズル体を床面清掃機に設置して使用する場合において、中間接続管の一方の端部を傾斜させ、連結部によって床ノズル体と連結することによって、部屋の壁際等の隙間を清掃することができる。
【００１１】
請求項２の発明は、請求項１に記載の構成よりなる床ノズル体において、前記接続手段として、床ノズル体の前記接続用パイプの両側に固定部を設け、前記連結部の一方の端部は床面清掃機本体に固定されると共に他方の端部は略Ｕ字状に形成し、該略Ｕ字状の中央空間部に前記接続用パイプを収納するようＵ字状部を前記固定部に取り付けたことを特徴としている。
【００１２】
床ノズル体の接続用パイプの両側に固定部を設けることによって、略Ｕ字状に形成されている連結部の他方の端部に固定し易いと共に、略Ｕ字状の中央空間部に接続用パイプを収納することができるので、床ノズル体と床面清掃機本体とをコンパクトに接続固定することができる。
【００１３】
請求項３の発明は、請求項１又は２に記載の構成よりなる床ノズル体において、回転ブラシと、回転自在に支持された車輪と、該車輪の回転に伴って前記回転ブラシを正逆回転させる伝達機構とを備えることを特徴としている。
【００１４】
床ノズル体に備えられた車輪の回転によって、床ノズル体に備えられた回転ブラシを回転させることができ、清掃効果を向上させることができると共に、回転ブラシを回転させる為のモーター等の動力を必要としないことから、製造コストを低減させることができる。
【発明の効果】
【００１５】
請求項１の発明では、床ノズル体と床面清掃機本体との距離を常に一定に保つことができ、床ノズル体を床面清掃機本体から取り外して電気掃除機に取り付けることが可能なことから製造コストの低減を図ることができる。また、床ノズル体を床面清掃機に設置して使用する場合においても、部屋の壁際等の隙間を清掃することができる。
【００１６】
また、請求項２の発明では、床ノズル体と床面清掃機本体とをコンパクトに接続固定することができる。また、請求項３の発明では、清掃効果を向上させることができると共に、回転ブラシを回転させる為のモーター等の動力を必要としないことから、製造コストを低減させることができる。
【図面の簡単な説明】
【００１７】
【図１】本発明に係る床ノズル体が接続される床面清掃機の側面図
【図２】本発明に係る床ノズル体が接続される電気掃除機の側面図
【図３】（ａ）本発明に係る床ノズル体が接続された床面清掃機の斜視図（ｂ）同側面図（ｃ）同平面図
【図４】（ａ）本発明に係る床ノズル体の斜視図（ｂ）同平面図（ｃ）同断面図
【図５】本発明に係る床ノズル体の斜視図
【図６】（ａ）本発明に係る床ノズル体の側面図（ｂ）同平面図（ｃ）同底面図
【図７】（ａ）本発明に係る床ノズル体の正面図（ｂ）同背面図（ｃ）同断面図
【図８】本発明に係る床ノズル体の上カバーを取り外した状態の平面図
【図９】（ａ）床面清掃機から連結部が突出した状態を示す正面図（ｂ）同側面図
【図１０】（ａ）連結部の突出長が短い場合の床面清掃機を示す側面図（ｂ）連結部の突出長が長い場合の床面清掃機を示す側面図
【図１１】（ａ）突出長が短い場合の連結部を示す平面図（ｂ）突出長が長い場合の連結部を示す平面図
【図１２】（ａ）連結部の端部を示す平面図（ｂ）（ａ）のＡ−Ａ断面図
【図１３】（ａ）連結部の他の形態を示す平面図（ｂ）（ａ）の右側面図
【発明を実施するための形態】
【００１８】
以下、本発明の実施形態について、図面を参照しながら説明する。図１は、本発明に係る床ノズル体が接続される床面清掃機の側面図である。この図を用いて床面清掃機について説明する。床面清掃機１０は、床面清掃機本体１の内部に送風機２と集塵袋７とが設置されており、底部には床面に接地する走行車輪３、３が回動自在に設置されている。そして、床面清掃機本体１から外方に向けて中間接続管４が延出しており、この中間接続管４は、床ノズル体５の接続用パイプ６に接続されている。また、床面清掃機本体１と床ノズル体５とは、床ノズル体５の一部を構成する連結部８によって連結されている。尚、集塵袋７に替えて塵埃捕集用フィルターを床面清掃機本体１に設置した床面清掃機においても本発明の床ノズル体５を適用することができる。
【００１９】
図２は、本発明に係る床ノズル体が接続される電気掃除機の側面図である。この図を用いて電気掃除機について説明する。電気掃除機２０は、電気掃除機本体１１には、空気を塵埃と共に吸上げる動力としての電動送風機１２が内蔵され、電動送風機１２の上流側には集塵室１３が設けられている。なお、集塵室１３は電気掃除機本体１１の外部に設けてもよい。また、電気掃除機本体１１には、延長目的でホースユニット１５が設けられており、このホースユニット１５を構成する蛇腹ホース１６の一端には電気掃除機本体１１に着脱可能に連結される接続部１７が設けられており、他端に手元ハンドル１８が設けられている。そして、手元ハンドル１８には延長管１９が着脱可能に連結され、さらに延長管１９の上流側には床ノズル体５が着脱可能に連結されて、床ノズル体５から集塵室１３を介して電動送風機１２までの間に負圧の吸引風路が形成され、集塵室１３の下流側から排気口（図示せず）の間には排気風路が形成されている。
【００２０】
図３（ａ）は、本発明に係る床ノズル体が接続された床面清掃機の斜視図であり、図３（ｂ）は、同側面図、図３（ｃ）は、同平面図である。図３に示すように、床面清掃機１０は、床面清掃機本体１から外方に向けて中間接続管４が延出しており、この中間接続管４は、床ノズル体５の接続用パイプ６に接続されている。また、床面清掃機本体１と床ノズル体５とは、床ノズル体５の一部を構成する連結部８によって連結されている。ここで、連結部８の一方の端部は、床面清掃機本体１に固定されている。また、連結部８の他方の端部は略Ｕ字状に形成されたＵ字状部８ａを備えており、Ｕ字状部８ａの中央空間部８ｂに接続用パイプ６を収納するようして、このＵ字状部８ａの先端を固定部２１に取り付けている。
【００２１】
図４（ａ）は、本発明に係る床ノズル体の斜視図であり、図４（ｂ）は、同平面図、図４（ｃ）は、同断面図である。図４に示すように、床ノズル体５は、床ノズル体５の一部を構成する連結部８によって床面清掃機本体１に連結されるものであり、連結部８の一方の端部に形成されているクランプ部９が床面清掃機本体１側に装着され、ロックボタン９ａによって確実に固定され、抜け止めがなされている。また、クランプ部９の内部には、上方から連結片８ｄを下方へと押圧するばね９ｂが設置されている。このばね９ｂによって連結片８ｄが床面方向へと押圧される構成となっている。
【００２２】
そして、接続用パイプ６の一方の端部が中間接続管４に接続され、接続用パイプ６の他方の端部が床ノズル体５の後部に傾動自在に取着されている。また、接続用パイプ６の他方の端部は、連結部８の他方の端部に形成されているＵ字状部８ａの中央空間部８ｂに収納される構成となっている。また、Ｕ字状部８ａの先端には、貫通孔８ｃが形成されており、この貫通孔８ｃは、後述する床ノズル体５に設けられた接続手段である固定片２２が貫通する構成となっている。また、固定片２２の先端はねじ切りがされており、ボルト２３が螺合することによって、連結部８が確実に固定される。
【００２３】
図５は、本発明に係る床ノズル体の斜視図である。また、図６（ａ）は、本発明に係る床ノズル体の側面図であり、図６（ｂ）は、同平面図、図６（ｃ）は、同底面図である。さらに、  図７（ａ）は、本発明に係る床ノズル体の正面図であり、図７（ｂ）は、同背面図、図７（ｃ）は、同断面図である。図５〜図７を用いて本発明に係る床ノズル体５の詳細について説明する。床ノズル体５は、上ケース３１と、下面に吸込口３２を有する下ケース３３とを有する床ノズル体本体５ａを備えている。また、床ノズル体本体５ａの外周には、掃除の際に家具などへの傷付を防止するためのバンパー３５が設けられている。
【００２４】
床ノズル体本体５ａは、前部に、回転ブラシ３６を回転自在に収納すると共に吸込口３２と連通する回転ブラシ室３７が配されている。また、床ノズル体本体５ａの後部には、図示しない延長管に接続される接続用パイプ６が傾動自在に取着されている。
【００２５】
床ノズル体本体５ａの下ケース３３の前部には、一対の走行用ローラー３９、３９が設けられており、この走行用ローラー３９、３９は、床ノズル体本体５ａに回転自在に支持されている。そして、走行用ローラー３９は、床ノズル体５をフローリングなどの被清掃面に置いたとき、その掃除面と下ケース３３の底面との間に所定の隙間を確保して、床ノズル体５が掃除面に密着して操作性が悪くなることを防いでいる。
【００２６】
床ノズル体本体５ａの上ケース３１及び下ケース３３の後部であって、接続用パイプ６の両側には、一対の駆動用ローラー４１、４１が設けられている。この駆動用ローラー４１、４１は、床ノズル体本体５ａに回転自在に支持されている。そして、駆動用ローラー４１が回転すると、後述する伝達機構４２を介して回転ブラシ３６が回転する構成となっている。尚、駆動用ローラー４１は、正回転及び逆回転の両回転をすることができるものであり、これに連動して、回転ブラシ３６も正回転及び逆回転の両回転をするように構成されている。
【００２７】
図８は、本発明に係る床ノズル体の上カバーを取り外した状態の平面図である。伝達機構４２は、図８に示すように、ギア４２ａと、ギア４２ｂと、回転ベルトのギア４２ｃ、４２ｄと、回転ベルト４２ｅとを備えている。そして、左側の駆動用ローラー４１が回転すると、同軸のギア４２ａが回転し、このギア４２ａと噛合っているギア４２ｂが回転する。さらに、ギア４２ｂと同軸の回転ベルトのギア４２ｃが回転し、回転ベルト４２ｅを介して回転ベルトのギア４２ｄが回転する。回転ベルトのギア４２ｄは、回転ブラシ３６と同軸となっているため、回転ベルトのギア４２ｄの回転によって回転ブラシ３６が回転する構成となっている。
【００２８】
駆動用ローラー４１は、図８に示すように、床ノズル体本体５ａにおいて、回転ブラシ３６の後方に形成されている車輪収容部４３に、軸受によって回転自在に軸支されており、接続用パイプ６の外側であって、伝達機構４２の内側に配置されている。
【００２９】
尚、駆動用ローラー４１の直径は、回転ブラシ３６の直径よりも大きく形成されている。また、駆動用ローラー４１が１回転すると、これに連動して、回転ブラシ３６が１．５回転以上回転するように回転比を設定している。
【００３０】
図９（ａ）は、床面清掃機から連結部が突出した状態を示す正面図であり、図９（ｂ）は、同側面図である。図９に示すように、連結部８は、ロックボタン９ａによってロックされた状態と、ロックが解除された状態とに変更でき、ロックが解除された状態で、床面清掃機本体１内に収容されている連結部８の一部を引っ張り出すことによって、連結部８の長さを変更することができるようになっている。
【００３１】
図１０（ａ）は、連結部の突出長が短い場合の床面清掃機を示す側面図であり、図１０（ｂ）は、連結部の突出長が長い場合の床面清掃機を示す側面図である。図１０（ｂ）に示すように、連結部８の突出長が長い場合には、床ノズル体５と床面清掃機本体１との距離Ｌが長くなるので、部屋の壁際等の隙間７３を清掃することができる。また、図１０（ａ）に示すように、清掃が終了して床面清掃機を棚等に収納する場合には、床ノズル体５と床面清掃機本体１との距離ｌを短くすれば嵩張らずに収納が容易となる。
【００３２】
図１１（ａ）突出長が短い場合の連結部を示す平面図であり、図１１（ｂ）は、突出長が長い場合の連結部を示す平面図である。図１１に示すように、連結部５０を、クランプ部５１ａを備えたスライドレール５１と、略Ｕ字状に形成されたＵ字状部５２ａを備えたスライド片５２とで構成することもできる。このように構成することによって、スライドレール５１とスライド片５２の各々に所定の間隔で穿設されたねじ穴にボルト２３を螺合することによって、図１１（ａ）に示すように、連結部の長さｌを短くしたり、図１１（ｂ）に示すように、連結部の長さＬを長くしたりでき、連結部の長さの調節が容易となる。なお、上記の図１１（ａ）及び（ｂ）の形態以外にも、連結部５０を伸縮させて長さを変化させる形態も、本発明に含まれる。
【００３３】
図１２（ａ）は、連結部の端部を示す平面図であり、図１２（ｂ）は、図１２（ａ）のＡ−Ａ断面図である。これらの図に示すように、連結部６０の床面側の面を略Ｕ字状のＵ字状部６１で形成することによって、床面と接する連結部６０の強度の向上を図ることができる。
【００３４】
図１３（ａ）は、連結部の他の形態を示す平面図であり、図１３（ｂ）は、図１３（ａ）の右側面図である。これらの図に示すように、連結部７０のＵ字状部７１の床面側の反対側の面に、立壁７２を形成することによって、接続用パイプ６が左右にずれて装着される事を防止でき、中間接続管４が左右に曲がる事がない為、風路抵抗が増加する事が無く、吸引力の低下を防止できる。
【産業上の利用可能性】
【００３５】
本発明の床ノズル体は、電気掃除機の延長管の端部又は床面清掃機の中間接続管に連結して使用する。
【符号の説明】
【００３６】
１  床面清掃機本体
２  送風機
３  走行車輪
４  中間接続管
５  床ノズル体
５ａ  床ノズル本体
６  接続用パイプ
７  集塵袋
８、５０、６０、７０  連結部
８ａ、５２ａ、６１、７１  Ｕ字状部
８ｂ  中央空間部
８ｃ  貫通孔
８ｄ  連結片
９、５１ａ  クランプ部
９ａ  ロックボタン
９ｂ  ばね
１０  床面清掃機
１１  電気掃除機本体
１２  電動送風機
１３  集塵室
１５  ホースユニット
１６  蛇腹ホース
１７  接続部
１８  手元ハンドル
１９  延長管
２０  電気掃除機
２１  固定部
２２  固定片
２３  ボルト
３１  上ケース
３２  吸込口
３３  下ケース
３５  バンパー
３６  回転ブラシ
３７  回転ブラシ室
３９  走行用ローラー
４１  駆動用ローラー
４２  伝達機構
４２ａ、４２ｂ、４２ｃ、４２ｄ  ギア
４２ｅ  回転ベルト
４３  車輪収容部
５１  スライドレール
５２  スライド片
７２  立壁
７３  隙間
【図１】
2014193196.tif 000003
【図２】
2014193196.tif 000004
【図３】
2014193196.tif 000005
【図４】
2014193196.tif 000006
【図５】
2014193196.tif 000007
【図６】
2014193196.tif 000008
【図７】
2014193196.tif 000009
【図８】
2014193196.tif 000010
【図９】
2014193196.tif 000011
【図１０】
2014193196.tif 000012
【図１１】
2014193196.tif 000013
【図１２】
2014193196.tif 000014
【図１３】
2014193196.tif 000015